(57)【特許請求の範囲】
【請求項１】
少なくとも一方が光学層を有している２つの電極が電位差のない状態で間隙を有して画素を形成するように対向配置されており、前記２つの電極にそれぞれ電圧が印加されて、それらの電圧の重畳によって前記２つの電極間に生じる電位差で前記間隙の状態が分離状態または接触状態に制御され、その間隙の状態に対応して前記光学層に入射される光の反射、透過、吸収、回折のうち少なくともいずれか一つの状態が制御されるように設定されており、かつ前記電位差の変化に対する前記間隙の変化がヒステリシスを有する光学多層構造体の駆動方法であって、
所定の書き込みタイミングごとに電圧を印加して前記間隙の状態を制御した後、その２つの電極の電位の相対的な極性を逆転させると共にその２つの電極間の電位差を前記ヒステリシスの１行程における前記分離状態および前記接触状態のいずれも保持可能な範囲の大きさに保つ期間を設けて、前記電極の間隙の状態を、前記書き込みタイミングで制御した後にも保持する
ことを特徴とする光学多層構造体の駆動方法。
【請求項２】
少なくとも一方が光学層を有している２つの電極を電位差のない状態で間隙を有して画素を形成するように対向配置した構造の光学多層構造体がマトリックス状に配設され、前記２つの電極の一方には走査電圧が印加され他方には信号電圧が印加されて、その走査電圧と信号電圧との重畳によって前記２つの電極間に生じる電位差で前記間隙の状態が分離状態または接触状態に制御され、その間隙の状態に対応して前記光学層に入射される光の反射、透過、吸収、回折のうち少なくともいずれか一つの状態が制御されるように設定されており、かつ前記光学多層構造体における前記電位差の変化に対する前記間隙の変化がヒステリシスを有する表示装置の駆動方法であって、
前記２つの電極のうち、一方の電極には前記走査電圧を、他方の電極には前記信号電圧を、それぞれ印加して、それら２つの電極の状態を前記分離状態または前記接触状態のうちいずれか一方の状態にした後、その２つの電極の電位の相対的な極性を逆転させると共に、その２つの電極間の電位差を前記ヒステリシスの１行程における前記分離状態および前記接触状態をいずれも保持可能な範囲の大きさに保つ期間を設けて、前記電極の状態を前記一方の状態にした後にも保持する
ことを特徴とする表示装置の駆動方法。
【請求項３】
少なくとも一方が光学層を有している２つの電極が電位差のない状態で間隙を有して画素を形成するように対向配置された構造の光学多層構造体がマトリックスアレイ状に配設され、前記各画素の２つの電極のうち一方の電極には走査電圧を印加する走査配線が接続され、他方の電極には信号電圧を印加する信号配線が接続されており、前記走査配線には前記走査電圧を出力し前記信号配線には前記信号電圧を出力する駆動回路を備えて、前記走査電圧と前記信号電圧との重畳によって前記２つの電極間に生じる電位差で前記間隙の状態が分離状態または接触状態に制御されて、その間隙の状態に対応して前記光学層に入射される光の反射、透過、吸収、回折のうち少なくともいずれか一つの状態が制御されるように設定されており、かつ前記光学多層構造体が前記電位差の変化に対する前記間隙の変化にヒステリシスが存在する表示装置であって、
前記駆動回路が、前記２つの電極のうちの一方の電極には前記走査電圧を、他方の電極には前記信号電圧を、それぞれ印加して、それら２つの電極の状態を前記分離状態または前記接触状態のうちいずれか一方の状態にした後、その２つの電極の電位の相対的な極性を逆転させると共に、その２つの電極間の電位差を前記ヒステリシスの１行程における前記分離状態および前記接触状態のいずれも保持可能な範囲の大きさに保つ期間を設けて、前記電極の状態を前記一方の状態にした後にも保持する
ことを特徴とする表示装置。
【請求項４】
複数個の前記光学多層構造体が、マトリックスアレイ状に配設されており、その個々の光学多層構造体が光の反射を制御し、その反射した光によって表示を行うように設定されている
ことを特徴とする請求項３記載の表示装置。
【請求項５】
複数個の前記光学多層構造体が、マトリックスアレイ状に配設されており、その個々の光学多層構造体が光の透過を制御し、その透過した光によって表示を行うように設定されている
ことを特徴とする請求項３記載の表示装置。
【発明の詳細な説明】
【０００１】
【発明の属する技術分野】
本発明は、入射光を反射また透過させる機能を有する光学多層構造体の駆動方法、およびその光学多層構造体を光スイッチング素子として用いた表示装置、ならびにその表示装置の駆動方法に関する。
【０００２】
【従来の技術】
光通信、光記憶装置、光プリンタなどに用いられる素子として、高速動作が可能な光スイッチング素子（ライトバルブ）の研究・開発が行われている。また、近年は映像情報を表示するための表示装置の重要性が益々高まっているが、そのなかでも光スイッチング素子を用いることが注目されている。
【０００３】
そのような光スイッチング素子としては、液晶素子を用いたものや、マイクロミラーを用いたもの（ＤＭＤ；Digtal Micro Miror Device 、ディジタルマイクロミラーデバイス（テキサスインスツルメンツ社の光スイッチング素子の登録商標）、回折格子を用いたもの（ＧＬＶ：Grating Light Valve,グレーティングライトバルブ（ＳＬＭ（シリコンライトマシン）社の商品名）などがある。
【０００４】
上記の光スイッチング素子のうち、ＧＬＶは、ＭＥＭＳ（Micro Electro Mechanical Systems) 構造による回折格子を備えたデバイスであり、静電力によって１０［ｎｓ］程度の高速な動作を行うことが可能である。また、ＤＭＤは、ＧＬＶと同じくＭＥＭＳ構造でミラーを動かすことによりスイッチングを行うものである。これらの光スイッチング素子を用いた表示装置は、個々の光スイッチング素子を各画素として２次元的に、いわゆるマトリックス状に配置して、投射型や直視型の表示装置に適用することができる。
【０００５】
このＭＥＭＳのような光スイッチング素子を各画素に用いた表示装置は、複数の走査配線（スキャンライン）と複数の信号配線（データライン）とを直交するようにそれぞれ配列形成し、その交差部分ごとに、画素を形成する上部電極と下部電極とを、間隙を設けて対向配置して、画面内に多数の画素が単純マトリクス状に２次元的に配列された極めて簡易な構造とすることができる。しかも、例えば液晶表示素子の場合のようなＬＳＩ集積回路にも匹敵する極めて微細な加工精度を要求されるＴＦＴスイッチング素子アレイや補助容量が不要であり、液晶の劣化を防ぐための交流駆動等の必要もない。また、プラズマディスプレイデバイスのような高電圧・大電流を必要とせず、低消費電力化を達成できるなど、多くの利点がある。
【０００６】
ところで、光スイッチング素子として光学多層構造体を用いた表示装置は、電極を有する光学膜が間隙を有して対向配置された構造を備えており、その対向配置された両電極にそれぞれ駆動電圧を印加してそれら両電極どうしの間の電位差を制御し、その電位差に対応して両電極間に生じる静電力によって両電極どうしの間隔を変化させ、その間隙を含む光学多層構造体に入射した光を変調して所望の表示を行うというものである。
【０００７】
【発明が解決しようとする課題】
上記のような光学多層構造体としては、例えば、特許協力条約に基づく国際公開ＷＯ９５／３０９２４号公報およびその登録済み同属である米国特許公報第５，８３５，２５５号公報に、電極間に与えられる電位差に対する電極間の間隙の大きさの変化にヒステリシス特性を有する特性を備えた可視光変調素子を用いた画像表示装置が開示されている（米国特許公報第１７コラム等参照）。
【０００８】
このような従来の光学多層構造体を画像表示装置における各画素として単純マトリックス状に配設して用いる場合、その個々の画素（つまり光学多層構造体）の駆動方法については、次のようなものが提案されている。
【０００９】
すなわち、光学多層構造体を配設してなる画面内の１本の走査配線に、走査選択電圧が走査線の本数に対応して時分割された走査選択期間中に印加されると、その１行の走査配線に接続されている各画素が走査選択状態となる。このとき、各列の信号配線には、それぞれ該当する電極を接触状態とするか分離状態とするかを決める（書き込む）ための信号電圧が印加される。このようにして各画素の電極に走査選択電圧と信号電圧とが印加されると、それらの重畳電圧（つまり両電極間の電位差）に対応して、各画素の電極がそれぞれ接触状態か分離状態かのうちのいずれか一方の状態になる。
【００１０】
しかしながら、それぞれの画素には、その画素が選択されていない非選択期間中にも、その画素が接続されているのと同じ１本の信号配線に接続されている他画素の状態を書き込むための信号電圧が印加されるので、その非選択期間中に印加される信号電圧波形の影響を受けて、走査選択期間に書き込まれていた所望の状態が変化してしまう場合がある。
【００１１】
このような不都合を克服するためには、信号配線に印加される信号電圧波形の如何に関わらず、選択されている行以外の行の電極の状態がすべて接触状態あるいは分離状態となるように、走査電圧波形に所定のオフセットを設けておくという方法なども考えられる。すなわち、走査選択された１行の走査配線に接続されている電極の状態は所望の状態であり、それ以外の非選択期間にあるすべての行の電極は一様に接触状態または分離状態とすることなども可能である。これは換言すれば、選択されている１行の走査線に属する画素のみを、１フレーム中の１走査選択期間内に所望の光量に変調し、その他の全ての画素は暗表示状態（液晶表示装置などに例えるとノーマリブラックモード）もしくは明表示状態（ノーマリホワイトモード）に保つということである。
【００１２】
しかしながら、上記のような駆動方法では、走査線の本数に時分割された極めて短時間の走査選択期間中は走査電圧が印加されているので、その走査線に属する画素のみは所望の状態に保たれるが、その走査選択期間の経過後に走査電圧が印加されなくなると、例えば接触状態であった電極が分離状態に戻ってしまうなどして、走査選択期間中だけしか所望の状態を保つことができない。
【００１３】
例えば、光学多層構造体をノーマリブラックモードの反射型表示装置に用いた場合、走査選択期間にある１行の走査線に属する画素のみが１フレーム中の１走査選択期間という短時間に表示状態を示すだけで、その他の多数の画素については、走査選択期間と比較して長い非走査選択期間に亘って暗表示のままなので、光の利用効率が低くなり、コントラスト特性の極めて低い表示デバイスとなってしまう。あるいはノーマリホワイトモードの反射型表示装置の場合には、走査選択状態にある１行の走査線に属する画素以外の全ての画素が非走査選択期間に亘って明表示の状態のままなので、やはりコントラスト特性の極めて低い表示デバイスとなってしまう。
【００１４】
あるいは、一度書き込んだ状態を保持するために、例えばアクティブマトリックス型液晶表示装置などで用いられるＴＦＴ（Thin Film Transistor）スイッチング素子や補助容量などを各画素ごとに設けることなども考えられるが、簡易な単純マトリックス構造の表示デバイスを実現できるという光学多層構造体の特長を損なうという問題がある。
【００１５】
また、光学多層構造体は一般に、顕著なヒステリシス特性を有しているので、１つのフレーム中で画素に一つの状態を書き込むと、その状態が他画素に書き込むための信号電圧波形の影響を受けることなく次のフレームまで保持される場合もある。しかし、このような状態保持が全ての画素で行われるわけではなく、例えば１つのフレーム中で他画素の選択期間の信号電圧波形の影響を受けて、一旦書き込まれた状態が非選択期間中に勝手に変化してしまう場合もある。また、１つのフレームで書き込まれた状態を次のフレームまで保持することはできても、その書き込まれた状態を次のフレームで所望の状態へと変化させようとしてもできなくなることもある。これに対処するためと推測されるが、上記の米国特許公報第５，８３５，２５５号公報に開示された光学多層構造体の駆動方法では、１フレームが終了した時点で、それまで各画素に書き込まれて保持されていた状態を一斉に明表示あるいは暗表示に戻す（ノーマリモードにリセットする）ことが提案されている。
【００１６】
しかしながら、実際には、そのようにフレームとフレームとの間ごとに一斉のリセット期間を設けると、その間の画面状態が、ちらつきとして観察されることとなり、画像表示品質を低下させる要因となるので、リセット期間を設けることは望ましくない。なお、上記の米国特許公報第５，８３５，２５５号公報では、さらに詳細な駆動方法については開示されていない。
【００１７】
このように、従来の光学多層構造体を用いた表示装置では、上記のように、走査選択期間中に各画素に書き込んだ状態を走査選択期間後にも保持することが困難であることに起因して、良好な表示特性の表示デバイスを実現することが困難であるという問題があった。
【００１８】
本発明はかかる問題点に鑑みてなされたもので、その目的は、光学多層構造体を用いて、全ての画素で書き込まれた状態を保持して良好な表示特性を実現できる、光学多層構造体を用いた簡易な単純マトリックス構造の表示装置およびその駆動方法を提供することにある。
【００１９】
【課題を解決するための手段】
本発明による光学多層構造体の駆動方法は、少なくとも一方が光学層を有している２つの電極が電位差のない状態で間隙を有して画素を形成するように対向配置されており、その２つの電極にそれぞれ電圧が印加されて、それらの電圧の重畳によって２つの電極間に生じる電位差で間隙の状態が分離状態または接触状態に制御され、その間隙の状態に対応して光学層に入射される光の反射、透過、吸収、回折のうち少なくともいずれか一つの状態が制御されるように設定されており、かつその電位差の変化に対する間隙の変化がヒステリシスを有する光学多層構造体の駆動方法であって、所定の書き込みタイミングごとに電圧を印加して電極間の間隙の状態を制御した後、その２つの電極の電位の相対的な極性を逆転させると共にその２つの電極間の電位差をヒステリシスの１行程における分離状態および接触状態を共に保持可能な範囲の大きさに保つ期間を設けて、電極の間隙の状態を書き込みタイミングで制御した後も保持する。
【００２０】
また、本発明による表示装置の駆動方法は、少なくとも一方が光学層を有している２つの電極を電位差のない状態で間隙を有して画素を形成するように対向配置した構造の光学多層構造体がマトリックス状に配設され、２つの電極の一方には走査電圧が印加され他方には信号電圧が印加されて、その走査電圧と信号電圧との重畳によって２つの電極間に生じる電位差でその間隙が制御され、その間隙に対応して光学層に入射される光の反射、透過、吸収、回折のうち少なくともいずれか一つの状態が制御されるように設定されており、かつ光学多層構造体における電位差の変化に対する間隙の変化がヒステリシスを有する表示装置の駆動方法であって、２つの電極のうち一方の電極には走査電圧を、他方の電極には信号電圧を、それぞれ印加して、それら２つの電極の状態を分離状態または接触状態のうちいずれか一方の状態にした後、その２つの電極の電位の相対的な極性を逆転させると共に、その２つの電極間の電位差をヒステリシスの１行程における分離状態および接触状態を共に保持可能な範囲の大きさに保つ期間を設けて、電極の状態を前述の一方の状態にした後にも保持する、というものである。
【００２１】
また、本発明による表示装置は、少なくとも一方が光学層を有する２つの電極を電位差のない状態で間隙を有して画素を形成するように対向配置された構造の光学多層構造体がマトリックスアレイ状に配設され、各画素の２つの電極のうち一方の電極には走査電圧が印加されるように走査配線が接続され、他方の電極には信号電圧が印加されるように信号配線が接続されており、走査配線には走査電圧を出力し信号配線には前記信号電圧を出力する駆動回路を備えており、走査電圧と信号電圧との重畳によって２つの電極間に生じる電位差で間隙が制御されて、その間隙に対応して光学層に入射される光の反射、透過、吸収、回折のうち少なくともいずれか一つの状態が制御されるように設定されており、かつ光学多層構造体が電位差の変化に対する間隙の変化にヒステリシスを有する表示装置であって、駆動回路が、２つの電極のうちの一方の電極には走査電圧を、他方の電極には信号電圧を、それぞれ印加して、それら２つの電極の状態を分離状態または接触状態のうちいずれか一方の状態にした後、その２つの電極の電位の相対的な極性を逆転させると共にその２つの電極間の電位差を光学多層構造体のヒステリシスの１行程における分離状態および接触状態を共に保持可能な範囲の大きさに保つ期間を設けて、電極の状態を前述の一方の状態にした後にも保持する、というものである。
【００２２】
本発明による光学多層構造体の駆動方法および表示装置の駆動方法ならびに表示装置では、構造の繁雑化を招くＴＦＴや補助容量などのような素子を付加しなくとも、光学多層構造体の有するヒステリシス特性をむしろ積極的に利用して、所定の書き込みタイミングごとに電圧を印加して電極間の間隙の状態を制御した後、その２つの電極の電位の極性を逆転させると共に、その２つの電極間の電位差をヒステリシスの１行程における分離状態および接触状態を共に保持可能な範囲の大きさに保つことで、走査選択期間などに電極の間隙の状態の書き込みが行われた後にも（非走査選択期間や次のフレーム期間などにも）、その書き込まれたときの状態が保たれる。そして次回の走査選択期間には、それまで電極が保持していた状態や電極に印加された信号電圧波形の履歴に関わらず、所望の状態の新たな書き込みが行われる。
【００２３】
【発明の実施の形態】
以下、本発明の実施の形態を図面に基づいて詳細に説明する。
【００２４】
図１は、本発明の一実施の形態に係る表示装置の主要部の構成を模式的に表したものである。この表示装置は、表示領域内に光学多層構造体１がマトリックスアレイ状に配設され、その個々の光学多層構造体１がそれぞれ画素として機能する光学多層構造体アレイ１０と、その個々の光学多層構造体１の有する下部電極２には走査電圧を印加し上部電極３には信号電圧を印加する駆動回路系２０とを備えている。
【００２５】
個々の光学多層構造体１は、図２に示したように、絶縁性基板４の上に、下部電極２と、上部電極３と、その上部電極３の上下両面のうち下部電極２と対面する側の面に設けられた光学薄膜５とを、その主要な構造として備えている。
【００２６】
絶縁性基板４としては、この光学多層構造体１が透過型の表示装置に用いられる場合には、透明ガラスや透明プラスチックなどの非金属の透明絶縁性材料からなる基板などを好適に用いることが可能である。あるいは、この光学多層構造体１が反射型の表示装置に用いられる場合には、カーボン系材料のような不透明な絶縁性の材質からなる絶縁性基板４を用いることなどが可能である。
【００２７】
下部電極２は、走査配線６に接続されて走査電圧が印加される電極として機能するものである。この下部電極２の材料としては、例えば、チタン（Ｔｉ）、タンタル（Ｔａ）、タングステン（Ｗ）などの金属材料や、窒化チタン、窒化タンタルなどの窒化物を用いて、その薄膜を絶縁性基板４の上に成膜し、それをエッチング法などにより加工して所定の電極状に形成することなどが可能である。
【００２８】
上部電極３は、下部電極２と対向する側の面に別の光学薄膜５を備えており、その光学薄膜５の表面と下部電極２の表面との間には、所定の電位差が与えられない状態では所定の間隙７を保つように設定されている。この上部電極３は、信号配線８に接続されて信号電圧が印加され、その信号電圧と下部電極２に印加される走査電圧とが重畳して得られる電位差に応じて間隙７に生じる電界の静電的吸引力により、光学薄膜５と共に弾性変形する。電位差の大きさが所定のしきい値以上になると下部電極２に対して接触した状態となり、しきい値未満になると弾性力が静電的吸引力よりも勝って分離した状態となるように設定されている。この上部電極３の形成材料としては、例えばＩＴＯ（Indium-Tin Oxide；インジウムとスズの酸化物混合膜）のような透明性および導電性の高いものなどが好適である。
【００２９】
光学薄膜５は、上述のように上部電極３の状態が変化すると、その上部電極３と共に変位して状態が変化し、その状態に対応して光の干渉状態が変化する。この光学薄膜５の材料としては、例えば窒化珪素（Ｓｉ3 Ｎ4；ｎ1 ＝２．０）、酸化珪素（ＳｉＯ2 ；ｎ2 ＝１．４６）、酸化ビスマス（Ｂｉ2 Ｏ3 ；ｎ2 ＝１．９１）、フッ化マグネシウム（ＭｇＦ2 ；ｎ2 ＝１．３８）、アルミナ（Ａｌ2 Ｏ3；ｎ2 ＝１．６７）、酸化チタン（ＴｉＯ2；ｎ2＝２．４）などを好適に用いることができる。なお、この光学薄膜５および上部電極３は、それぞれ単層でもよいが、それぞれが光学的特性の互いに異なる２つ以上の膜を積層してなるものとしてもよい。
【００３０】
間隙７は、上部電極３および光学薄膜５の積層膜が上記のように動作することができるように、その寸法が設定されている。この間隙７に充填される媒体は、透明であれば気体でも液体でもよい。気体としては、例えば、空気（ナトリウムＤ線（５８９．３ｎｍ）に対する屈折率ｎD ＝１．０）、窒素（Ｎ2 ；ｎD ＝１．０）などを用いることが可能である。あるいは、液体としては、例えば、水（ｎD ＝１．３３３）、シリコーンオイル（ｎD ＝１．４〜１．７）、エチルアルコール（ｎD ＝１．３６１８）、グリセリン（ｎD ＝１．４７３０）、ジョードメタン（ｎD ＝１．７３７）などを用いることが可能である。あるいは、この間隙７を真空または低圧状態に保つようにしてもよい。
【００３１】
上記のような上部電極３および光学薄膜５における可動部分の平面的な形状としては、例えば矩形とすることができる。その立体的な形状は、例えば矩形の４辺における各側壁が支持部として絶縁性基板４の表面から図２で上方に立ち上がるような形状にしてもよく、あるいは、その矩形の四隅に例えば柱状に立ち上がった形状の支持部を設けて、その４本の支持部によって可動部分が吊り上げられて、所定の電圧が印加されていない状態では下部電極２に対して所定の間隙に保たれるようにしてもよい。
【００３２】
このような構造の光学多層構造体１に駆動電圧を印加して、上部電極３と下部電極２との状態を変化させ、接触状態にした場合と分離状態にした場合とでは、図３に示したように光の反射率が明確に異なったものとなる。この図３では、反射型の表示装置に用いられる光学多層構造体１の場合について、グラフ中の点線の曲線が分離状態における反射率を、実線が接触状態における反射率を、それぞれ示している。図３の横軸に示すような４００［ｎｍ］〜７００［ｎｍ］の間のいわゆる可視光領域では、分離状態における反射率は約７０％〜約８０％と極めて高い値を示し、接触状態における反射率は約０％〜約１０％と極めて低い値を示しており、このように反射率が明確に変化する特性を、適切な駆動方法によって活用すれば、コントラスト特性の極めて良好な表示装置を実現することが可能であると想定される。
【００３３】
このような光学多層構造体１は、例えば次に述べるような製造プロセスによって作製することができる。まず、例えばガラスからなる透明な絶縁性基板４の上に、例えばスパッタリング法によりチタン（Ｔｉ） あるいはタンタル（Ｔａ） などの材料からなる導電膜を形成し、これをパターニングして、下部電極２を形成する。続いて、例えばＣＶＤ（Chemical Vapor Deposition:化学的気相成長 ）法により犠牲層としての非晶質シリコン（ａ−Ｓｉ）膜を成膜する。続いて、フォトレジスト膜を形成し、このフォトレジスト膜を露光・現像し、可動部としての所定の平面形状のパターンを形成する。そしてこのフォトレジスト膜をマスクとして用いて、例えばＲＩＥ（Reactive Ion Etching） により非晶質シリコン（ａ−Ｓｉ）膜を選択的に除去する。続いて、前述のフォトレジスト膜を除去した後、例えばスパッタリング法によりＢｉ2 Ｏ3 あるいはＳｉ3 Ｎ4 からなる光学薄膜５を形成する。次いで、例えばＣＦ4 ガスを用いたドライエッチング法により、光学薄膜５を所定の形状に加工すると共に開口部を設ける。そして、例えばＸｅＦ2を用いたエッチング法により、開口部を通じて非晶質シリコン（ａ−Ｓｉ）膜を除去する。これにより、上記のような内部に所定の寸法の間隙７を有して下部電極２と上部電極３とが対向配置された構造の光学多層構造体１が作製される。
【００３４】
このような本実施の形態に係る個々の光学多層構造体１は、下部電極２と上部電極３とに所定の電位差を与えることによって両電極間に生じる電界により、静電的な吸引力が働いて下部電極２の表面と上部電極３の表面（より正確には光学薄膜５の表面）とを接触した状態にすることができる。あるいは両電極間の電位差を所定の大きさ未満にすることにより、上部電極３および光学薄膜５の材料力学的な弾性による引張応力で両電極を分離した状態にすることができる。
【００３５】
しかしここで、電位差の変化に対する両電極の間隙７の変化は、顕著なヒステリシスを示すことが知られている（Yie He, et al., General Contact and Hysteresis Analysis of Multi-dielectric MEMS Devices under Thermal and Electrostatic Actuation, International Mechanical Engineering Conferenceand Exposition, Symposium on MEMS, November 15-20, 1998）。その変位の様相は、例えば図４に示したようなものとなっている。なお、上部電極３と下部電極２とにそれぞれ印加する電圧の極性を入れ替えても、それらの電位差（の大きさ）によって両電極間に生じる静電力（静電的吸引力）の絶対値は同じなので、印加電圧と間隙７の変位（状態の変化）との相関を示す特性曲線は、電位差０を中心として対称である。そこで、図示の簡潔化を図るために、図４では電位差を横軸の正方向のみに取って示してある。
【００３６】
上部電極３と下部電極２との間の電位差と上部電極３の変位との関係は、光学多層構造体１の各寸法や、橋構造の内部応力等に依存して種々異なったものとなるが、概ね図４のような特性となる。すなわち、両電極間の電位差を上げて行くと、徐々に両電極間の間隙７が狭くなり、ある点で急峻に両電極が接触状態となる。例えば図４の一例では、１１〜１１．５［Ｖ］付近で両電極は分離状態から接触状態へと急峻に変化し、１２［Ｖ］で電位差は頭打ちとなる。その１２［Ｖ］から電位差を小さくして行くと、前述の状態変化が生じた１１［Ｖ］未満になっても分離状態に変化することはなく、図４の一例に則して言えば、５［Ｖ］になるまでは接触状態のままに保たれる。そして電位差が５〜４．５［Ｖ］付近で、両電極は接触状態から分離状態へと急峻に変化する。このように、光学多層構造体１では、電位差の変化の履歴に依存して上部電極３の動き（変位）が異なった様相を示すので、上部電極３の状態は電位差の静的な値のみからは一義的に定まらない。
【００３７】
このような顕著なヒステリシス特性を有しているため、光学多層構造体１を単純マトリックスアレイ状に配設してなる表示装置では、例えば単純マトリックス型の液晶表示装置に用いられるような駆動方法を適用して所望の画素の状態を所望のタイミングで制御しようとしても、一旦書き込んだ後にその状態を変化させることができなくなったり、あるいは逆に、走査選択期間中は所望の状態に保つことができるが、非選択期間にその状態を保つことができないなど、表示装置として要求される動作を実現することができない。
【００３８】
あるいは、一旦書き込んだ状態を保持するためにＴＦＴや補助容量等を付設することも考えられるが、そのような素子を付設することで、本来の光学多層構造体１が有している構造が簡易であるという特長を生かすことができなくなるという不都合があった。
【００３９】
そこで、本発明者は、このような光学多層構造体１の有しているヒステリシス特性をむしろ逆手にとって積極的に利用して、一旦書き込んだ上部電極３の状態を、少なくとも次回の（次フレームの）書き込みの際まで保持することができる駆動方法およびそれを行う駆動回路を備えた表示装置を案出した。
【００４０】
次に、上記のような光学多層構造体１を用いた本発明に係る表示装置の駆動方法について、下記に説明する。なお、説明を理解し易いものとするために、表示装置の単純マトリックスアレイ状に配置された光学多層構造体１（画素）のうち第１行・第１列の１画素に印加される駆動電圧波形の一例を、図５，図６，図７，図８の各タイミングチャートに示した。また、所定のしきい値以上の電位差が印加されて接触状態となったときの光学多層構造体１の様相を図９に示した。なお、ここでは第１行・第１列の１画素を第１フレームでは接触状態（以降、これをオン（ＯＮ）状態と呼ぶ）に制御し、第２フレームでは分離状態（以降、これをオフ（ＯＦＦ）状態と呼ぶ）に制御する場合について説明する。
【００４１】
駆動回路系２０は、走査回路２１と、信号回路２２とから、その主要部が構成されている。走査回路２１からは図５に示したような波形の走査電圧が走査線に出力され、信号回路２２からは図６に示したような波形の信号電圧が信号線に出力される。その走査電圧波形と信号電圧波形とが光学多層構造体１にて図７に示したように重畳されて、図８に示したような波形の電位差が生じ、これに対応して第１行・第１列の１画素の光学多層構造体１の状態が変化する。
【００４２】
なお、ここでは説明を簡潔なものとするために、走査電圧波形は走査選択期間の電圧（接地を基準とした電圧レベル。以下同様）が０［Ｖ］、非選択期間の電圧が８［Ｖ］で、これを２値的に繰り返すものとする。また、信号電圧波形は書き込む状態（つまり表示画像）に対応した波形となるが、ＯＮ状態に対応する電圧が１５［Ｖ］、ＯＦＦ状態に対応する電圧が２［Ｖ］に設定されているものとする。
【００４３】
さらに詳細には、まず第１フレームにおける第１行・第１列の１画素（光学多層構造体１）にＯＮ状態の書き込みを行う第１の走査選択期間では、走査電圧波形が０［Ｖ］になる一方、そのタイミングに同期して、信号電圧波形が１５［Ｖ］になる。すると走査電圧と信号電圧とが重畳して上部電極３と下部電極２との間に生じる電位差（これを図中ではΔＶとする）は＋１５［Ｖ］となる。
【００４４】
なお、このとき信号電圧（上部電極３）が１５［Ｖ］で走査電圧（下部電極２）の０［Ｖ］よりも高い電圧となっているから、両電極の相対的な極性は、上部電極３が正、下部電極２が負となっている。そこで、このような極性の場合には、電位差の値（絶対値）に正（＋）の極性を付して記述することとする。逆に、上部電極３が負、下部電極２が正の場合には、電位差の値に負（−）の極性を付して記述することとする。この定義（記述法）に従えば、第１フレームの走査選択期間における電位差の場合には、ΔＶ＝＋１５［Ｖ］のように記述される。
【００４５】
このような＋１５［Ｖ］の電位差が両電極間に与えられると、図１０のヒステリシス曲線上で電位差ΔＶ＝＋１５［Ｖ］は点Ｅに位置しているので、上部電極３の状態は、それまで履歴して来た状態の如何を問わず、必ず図９に示したようなＯＮ状態になる。
【００４６】
例えば、この第１フレームの前に両電極間の電位差が０［Ｖ］であった場合（点Ａ）、走査選択期間に入って電位差が＋１５［Ｖ］になると、上部電極３の状態は点Ｈ→Ｂ→Ｃのようにヒステリシス曲線上を推移して、ＯＦＦ状態を保ちながらも間隙７が狭まって行き、１１〜１１．５［Ｖ］付近に存在している上方しきい値（点Ｃの付近）を超えると、ＯＦＦ状態からＯＮ状態に変化する。そしてさらに電位差が大きくなって＋１５［Ｖ］に至っても（点Ｅ）、上部電極３の変位（間隙７）はそれ以上には変化せず、ＯＮ状態のままとなっている。
【００４７】
あるいは第１フレームの前に両電極間の電位差が、例えば点Ｇの５［Ｖ］や点Ｆの７［Ｖ］であっても、電位差が＋１５［Ｖ］になっても上部電極３はＯＮ状態のままである。このようにして、第１フレームの走査選択期間に第１行・第１列の１画素に書き込みが行われてＯＮ状態になる。
【００４８】
その走査選択期間が終了して非選択期間になると、走査電圧波形は０［Ｖ］から８［Ｖ］になり、この電圧レベルは第１フレームが終了するまで継続される。一方、信号電圧波形は、第１フレームの非選択期間には、第２行・第１列の画素、第３行・第１列の画素、第４行・第１列の画素…のように同一の信号配線８に接続されている同一列の各画素を線順次に走査選択して行くタイミングと同期してその個々の画素に所望の状態を書き込むための電圧波形となっている。
【００４９】
例えば第１フレームにおける信号電圧波形は、走査選択期間が終了した後、それに続く第２行・第１列の画素にはＯＮ状態を書き込み、第３行・第１列の画素にはＯＦＦ状態を書き込むために、第２行・第１列の画素に対する走査選択期間と同期した信号電圧が１５［Ｖ］、第３行・第１列の画素に対する走査選択期間と同期した信号電圧が２［Ｖ］となっている。このように、信号電圧は、例えば第１行・第１列の画素に対する走査選択期間が経過した後の非選択期間には、その画素が属する行（走査線）の他の行に属する画素に所望の書き込みを行うために、電圧レベルが種々に変化する波形となっていることが一般的である。
【００５０】
この例では、第１フレームにおける非選択期間中には、走査電圧は一定に８［Ｖ］となっているが、他方、第２行・第１列の画素にＯＮ状態を書き込むタイミングでの信号電圧は１５［Ｖ］となっている。従って、このときの両電極間の電位差は１５［Ｖ］−８［Ｖ］＝＋７［Ｖ］となり、これは図１０のヒステリシス曲線における点Ｆで示したように、上部電極３の状態がＯＮ状態からＯＦＦ状態に変化する下方しきい値である５［Ｖ］よりも上に位置しているから、上部電極３の状態は走査線選択期間で書き込まれたＯＮ状態のままに保たれる。
【００５１】
これに続く第３行・第１列の画素にＯＦＦ状態を書き込むタイミングでの信号電圧は２［Ｖ］となるので、このときの両電極間の電位差は、２［Ｖ］−８［Ｖ］＝−６［Ｖ］となり、前述の走査選択期間に書き込まれた電位差（＋１５［Ｖ］）の極性とは逆極性となる。このときの−６［Ｖ］という電位差は、上部電極３の状態がＯＮ状態からＯＦＦ状態に変化する上方しきい値の−５［Ｖ］未満で、ＯＮ状態が保たれる点Ｋに位置しているので、上部電極３の状態は走査線選択期間中に書き込まれたＯＮ状態のままに保たれる。
【００５２】
ただし、両電極間の電位差を＋１５［Ｖ］から−６［Ｖ］へと時間をかけて緩やかに移行させると、その電位差の変化に対応した状態変化（両電極間の間隙の変位）は、図１０のヒステリシス曲線上を点Ｆ→Ｇ→Ｈ→Ａ→Ｉ→Ｍのようにトレースしながら推移するので、最終的には点Ｋには至らず、点Ｍに至ってしまい、上部電極３は点ＦのＯＮ状態から点ＭのＯＦＦ状態へと変化してしまう。しかし、光学多層構造体１の上部電極３（および光学薄膜）には、弾性的な形状保持力および慣性力が変形応力として働くので、その変形応力に起因して状態変化に要する時間よりも短い時間で急峻に電位差をプラスからマイナスへと切り替えれば、上部電極３の状態変化はヒステリシス曲線上をトレースすることなく、点Ｆの状態から点Ｍの状態へと瞬時に移行することができる。実際に駆動回路から印加される信号電圧は、表示性能の向上の観点からも、立上がりや立下がりが急峻な波形であることが望ましいので、信号電圧をそのように急峻に切り替えることは、表示性能のさらなる向上を達成することができるという観点からも望ましいことである。
【００５３】
このように、走査選択期間中にＯＮ状態が書き込まれた後、非選択期間中に信号電圧が１５［Ｖ］や２［Ｖ］に変化しても、その信号電圧波形による影響を受けることなく、一つの画素に書き込まれたＯＮ状態を、少なくとも１フレーム期間に亘って保持することができる。
【００５４】
上記の第１フレームに引き続いて、第２フレームでは、第１行・第１列の画素にＯＦＦ状態を書き込み、その状態を少なくとも１フレーム周期の間は保持する。その書き込みを行うために、第２フレームにおける走査選択期間では、走査電圧を０［Ｖ］にすると共に、信号電圧を２［Ｖ］にする。これにより、両電極間の電位差は２［Ｖ］−０［Ｖ］＝＋２［Ｖ］となるから、上部電極３の状態は、第１フレームで書き込まれて保持されていた図１０のヒステリシス曲線上の点ＫのＯＮ状態から、点Ｊ→Ｉ→Ａを経て、点ＰのＯＦＦ状態へと変化する。このようにして、第２フレームの走査選択期間では、第１行・第１列の画素を、それまで保たれていたＯＮ状態からＯＦＦ状態へと変化させることができる。
【００５５】
そして走査選択期間での書き込みが終了し、非選択期間に入ると、走査電圧は０［Ｖ］から８［Ｖ］になる。他方、信号電圧は、第２行・第１列の画素にＯＦＦ状態を書き込むために２［Ｖ］となる。従って、両電極の電位差は２［Ｖ］−８［Ｖ］＝−６［Ｖ］となり、走査選択期間に書き込まれた電位差とは極性が逆転したものとなり、走査選択期間で書き込まれた点Ｐの状態から、ヒステリシス曲線のうちＯＦＦ状態を継続する経路（点Ｐ→Ａ→Ｉ→Ｍ）上を推移して、点Ｍに至り、第１行・第１列の光学多層構造体１はＯＦＦ状態に保たれる。このように、非選択期間に信号電圧が２行・第１列の画素にＯＦＦ状態を書き込む電圧になっても、走査選択期間にて光学多層構造体１に一旦書き込んだＯＦＦ状態をそのままに保つことができる。なお、このときの電位差は、時間をかけて緩やかに変化させてもよく、瞬時に変化させてもよい。
【００５６】
続いて、第３行・第１列の画素にＯＮ状態を書き込むタイミングでは、信号電圧１５［Ｖ］になる。すると、このときの両電極間の電位差は１５［Ｖ］−８［Ｖ］＝＋７［Ｖ］となるので、上部電極３の状態は、それまでの点Ｍから点Ａ→Ｐ→Ｈを経て点Ｂへと推移する。この推移は、ヒステリシス曲線のＯＦＦ状態を継続する経路上をトレースするものであるため、走査選択期間で一旦書き込まれたＯＦＦ状態をそのままに保つことができる。
【００５７】
以上のように、本実施の形態に係る表示装置あるいはその駆動方法によれば、走査選択期間に一旦書き込まれた状態を、それがＯＮ状態であってもＯＦＦ状態であっても、少なくとも次のフレームの走査選択期間までの間は信号電圧波形の如何に関わりなく保持することができ、かつ、次のフレームの走査選択期間には、それまで保持していた状態がＯＦＦ状態でもＯＮ状態でも、所望の状態へと変化させる（書き換える）ことができる。
【００５８】
なお、上記では、本実施の形態に係る駆動方法の典型的な例として、各フレームごとに走査選択期間における両電極間の極性と非選択期間における両電極間の極性とを逆転させるようにした場合について示したが、走査電圧波形と信号電圧波形との逆転タイミングの組み合わせは、これのみには限定されない。この他にも、例えば図１１に示したように、ＯＮ状態を書き込む第１フレームでは、両電極の極性を走査選択期間と非選択期間とで逆転させるようにし、ＯＦＦ状態を書き込む第２フレームでは、走査選択期間の電位差を０［Ｖ］とすると共に、非選択期間の電位差を第１フレームの走査選択期間における電位差の極性に対して逆転するように設定することなども可能である。このような駆動方法によっても、上記に説明した駆動方法と同様に、一旦書き込んだ状態を保持することができると共に、走査選択期間ごとに所望の状態へと変化（書き換え）させることができる。
【００５９】
また、上記の実施の形態では、図４、図１０に示したようなヒステリシスを有する光学多層構造体１の動作特性に則して、信号電圧や走査電圧の電圧値を上記のようなものとしたが、具体的な電圧値については、上記のみには限定されないことは言うまでもなく、光学多層構造体１の動作特性や仕様等に則して種々変更が可能である。
【００６０】
また、光学多層構造体１の構造についても、上記のようなもののみには限定されないことは言うまでもなく、上部電極３と下部電極２とに印加する電圧を制御して、両電極間の電位差を変化させることによって、光学薄膜５のような光学層に入射される光の反射、透過、吸収、回折のうち少なくともいずれか一つの状態を制御するように設定されており、かつ電位差の変化に対する両電極間の間隙７の状態変化がヒステリシスを有している構造および特性のものであれば、上記の実施の形態で説明した以外の構造の光学多層構造体１でも、光学多層構造体アレイを構成する個々の素子（画素など）として用いることが可能である。
【００６１】
また、上記の実施の形態では、複数の光学多層構造体１を行方向および列方向にマトリックスアレイ状に（２次元的に）配置してなる表示装置およびその駆動方法について説明したが、その他にも、例えば複数の光学多層構造体１が１列に配置されたリニアアレイ状の表示装置や、リニアアレイ状のスイッチング素子などにも本発明は適用可能である。
【００６２】
次に、比較例として、上記のような実施の形態とは異なる駆動回路および駆動方法によって、上記と同様の光学多層構造体アレイ１０を駆動する場合について以下に述べる。
【００６３】
［比較例１］
図１２は、比較例１として、駆動回路から出力されて光学多層構造体１の第１行・第１列の画素に印加される走査電圧波形および信号電圧波形を表したものである。なお、上記の本実施の形態との比較が明確にできるように、本実施の形態と同様に第１行・第１列の光学多層構造体１を第１フレームではＯＮ状態とし第２フレームではＯＦＦ状態とする場合を、ここでは想定している。
【００６４】
この比較例１の駆動回路（図示省略）およびそれを用いた駆動方法では、上記の実施の形態のような電位差の極性の逆転を行うことなく、信号電圧または走査電圧に例えば７［Ｖ］のオフセットを設けている。ところが、このようなオフセットを設けると、走査選択期間に書き込まれた状態を非選択期間にも保持することはできても、次フレームで状態を変化させることができなくなる場合がある。これを図１２に則して述べる。
【００６５】
第１フレームで第１行・第１列の画素の走査選択期間中に走査電圧が−９［Ｖ］、信号電圧が６［Ｖ］になると、両電極間の電位差は６［Ｖ］−（−９）［Ｖ］＝＋１５［Ｖ］となるから、上部電極３はこのときＯＮ状態となる。
【００６６】
続いて非選択期間に入ると、まず走査電圧が−７［Ｖ］になるが、このとき図１２に示すように第２行・第１列の画素に書き込むための信号電圧は６［Ｖ］のままであるから、両電極間の電位差は６［Ｖ］−（−７）［Ｖ］＝＋１３［Ｖ］となり、上部電極３はＯＮ状態のままに保たれる。
【００６７】
これに続いて、第３行・第１列の画素に書き込むための信号電圧が０［Ｖ］になると、両電極間の電位差は０［Ｖ］−（−７）［Ｖ］＝＋７［Ｖ］に変化するが、これは図１０のヒステリシス曲線上で点Ｆに位置しているので、上部電極３はこのときにもＯＮ状態のままに保たれる。
【００６８】
そして第２フレームに入ると、まず走査選択期間に、第１行・第１列の画素にＯＦＦ状態を書き込むために、走査電圧が−９［Ｖ］になると共に、信号電圧が低い方の電圧レベルである０［Ｖ］となって、このときの両電極間の電位差は０［Ｖ］−（−９）［Ｖ］＝＋９［Ｖ］となる。
【００６９】
ところが、走査選択期間における電位差は、これ以上には小さくすることができないため、ＯＮ状態からＯＦＦ状態への変化が生じる下方しきい値の＋５［Ｖ］以上にはできないので、それまでのＯＮ状態をここでＯＦＦ状態に変化させることは不可能である。
【００７０】
このような不都合を克服するためには、１つのフレームが終了する毎に、それまでの状態を一度リセットすることなどが必要となるが、そのようなリセットを行うと、表示画面のちらつきの原因となったり、駆動方法や駆動回路が繁雑化するといった、別の問題が生じるので、本発明のような簡易な概要構成で良好な表示性能を実現することが困難となる。
【００７１】
［比較例２］
図１３は、駆動回路から出力されて第１行・第１列の光学多層構造体１に印加される、比較例２の走査電圧波形および信号電圧波形を表したものである。
【００７２】
この比較例２では、上記の実施の形態のような両電極間の電位差の極性の逆転を行わず、かつ信号電圧や走査電圧にオフセットを設けることなく、光学多層構造体アレイを駆動する場合について述べる。
【００７３】
第１フレームでは、第１行・第１列の画素の走査選択期間中に走査電圧が−２［Ｖ］、信号電圧が１３［Ｖ］になると、両電極間の電位差は１３［Ｖ］−（−２）［Ｖ］＝＋１５［Ｖ］となるから、上部電極３はＯＮ状態となる。
【００７４】
続いて、非選択期間に入ると、まず走査電圧が０［Ｖ］になるが、このとき図１３に示すように第２行・第１列の画素に書き込むための信号電圧は１３［Ｖ］のままであるから、両電極間の電位差は１３［Ｖ］−０［Ｖ］＝＋１３［Ｖ］となり、上部電極３はＯＮ状態のままに保たれる。
【００７５】
これに続いて、第３行・第１列の画素に書き込むための信号電圧が０［Ｖ］になると、両電極間の電位差は０［Ｖ］−０［Ｖ］＝０［Ｖ］に変化する。この電位差０［Ｖ］は図１０のヒステリシス曲線上で点Ａに位置しているので、上部電極３の状態は、それまでのＯＮ状態からＯＦＦ状態に変化してしまう。このように、１フレームにおいて、走査選択期間に一つの画素に対して書き込んだＯＮ状態が、非選択期間の途中で他の画素への書き込みを行うための信号電圧の変化に起因してＯＦＦ状態に勝手に変化してしまい、ＯＮ状態を保持することができなくなる場合がある。
【００７６】
続いて、第２フレームに入ると、走査選択期間には、走査電圧が−２［Ｖ］になると共に、第１行・第１列の画素にＯＦＦ状態を書き込むために信号電圧が低い方の電圧レベルである０［Ｖ］となるから、このときの両電極間の電位差は０［Ｖ］−（−２）［Ｖ］＝＋２［Ｖ］となり、上部電極３はＯＦＦ状態に保たれる。あるいは、図示は省略したが、第１フレームの最後までＯＮ状態に保たれていた場合でも、第２フレームの走査選択期間には両電極間の電位差が＋２［Ｖ］となるので、上部電極３はＯＮ状態からＯＦＦ状態になる。
【００７７】
ところが、第３行・第１列の画素に書き込むための信号電圧が１３［Ｖ］になると、両電極間の電位差は１３［Ｖ］−０［Ｖ］＝＋１３［Ｖ］になるので、上部電極３はＯＮ状態に勝手に変化してしまい、それまで保持されていたＯＦＦ状態を保持することができない。
【００７８】
［比較例３］
図１４は、駆動回路から出力されて第１行・第１列の光学多層構造体１に印加される、比較例３の走査電圧波形および信号電圧波形を表したものである。
【００７９】
この比較例３では、上記実施の形態のような両電極間の電位差の極性の逆転を行わず、信号電圧や走査電圧にオフセットを設けることなく、かつ走査電圧波形の振幅を信号電圧波形の振幅よりも大きくして光学多層構造体アレイを駆動する場合について述べる。
【００８０】
第１フレームでは、第１行・第１列の画素の走査選択期間中に走査電圧が−８［Ｖ］、信号電圧が４［Ｖ］になると、両電極間の電位差は４［Ｖ］−（−８）［Ｖ］＝＋１２［Ｖ］となるから、上部電極３はこのときＯＮ状態となる。
【００８１】
続いて非選択期間に入ると、まず走査電圧が０［Ｖ］になるが、このとき図１２に示すように第２行・第１列の画素に書き込むための信号電圧は４［Ｖ］であるから、両電極間の電位差は４［Ｖ］−０［Ｖ］＝＋４［Ｖ］となり、上部電極３はＯＮ状態からＯＦＦ状態に変化してしまう。
【００８２】
これに続いて、第３行・第１列の画素に書き込むための信号電圧が０［Ｖ］になるので、両電極間の電位差は０［Ｖ］−０［Ｖ］＝０［Ｖ］になる。この電位差０［Ｖ］は図１０のヒステリシス曲線上で点Ａに位置しているので、上部電極３はこのときＯＦＦ状態となる。このように、走査選択期間に一つの画素に対して書き込んだＯＮ状態が、その画素の非選択期間に走査電圧が０［Ｖ］になることに起因してＯＦＦ状態に勝手に戻ってしまい、ＯＮ状態を保持することができない。
【００８３】
続いて、第２フレームに入ると、走査電圧が−８［Ｖ］になると共に、走査選択期間に第１行・第１列の画素にＯＦＦ状態を書き込むために信号電圧が低い方の電圧レベルである０［Ｖ］となって、両電極間の電位差は０［Ｖ］−（−８）［Ｖ］＝＋８［Ｖ］となる。すると、上部電極３の電位差は点Ａから点Ｎへと変化するが、このとき、それまでの状態が図１０の点Ａに位置していたので、点ＡからＯＦＦ状態を保つヒステリシス曲線上（点Ａ→Ｈ→Ｎ）を推移して点Ｎへと移行する。従って、その間、上部電極３はＯＦＦ状態に保たれる。
【００８４】
しかし、図示は省略したが、第１フレームの最後までＯＮ状態となっていた場合には、第２フレームの走査選択期間に信号電圧を０［Ｖ］にしても、走査電圧が−８［Ｖ］なので両電極間の電位差は＋８［Ｖ］になり、上部電極３はＯＮ状態を保持したままとなって、ＯＦＦ状態に変化させることができない。このような不都合を克服するためには、比較例１の場合と同様に、１つのフレームが終了する毎に、それまでの状態を一度リセットすることなどが必要となるが、そのようなリセットを行うと、表示画面のちらつきの原因となったり、駆動方法や駆動回路が繁雑化するといった、別の問題が生じるので、本発明のような簡易な概要構成で良好な表示性能を実現することが困難なものとなる。
【００８５】
続いて、第３行・第１列の画素にＯＮ状態を書き込むために信号電圧が４［Ｖ］になると、両電極間の電位差は４［Ｖ］−０［Ｖ］＝＋４［Ｖ］になる。このとき、それまでに上部電極３がＯＦＦ状態であれば、それを保持することができる。しかし、図示は省略したが、それまでに上部電極３がＯＮ状態である場合には、＋４［Ｖ］という電位差は、下方しきい値である＋５［Ｖ］未満の値なので、ＯＦＦ状態に勝手に変化してしまうこととなる。
【００８６】
［比較例４］
図１５は、駆動回路から出力されて第１行・第１列の光学多層構造体１に印加される、比較例４の走査電圧波形および信号電圧波形を表したものである。
【００８７】
この比較例４では、一般的な液晶表示装置の駆動方法のように１フレーム毎に信号電圧および走査電圧の極性反転を行う。
【００８８】
このような駆動方法によれば、各フレームの途中で他画素に書き込むための信号電圧の変化に起因して勝手に状態が変化することは回避することができるが、走査選択期間に書き込んだ状態を非選択期間に保持することができない。例えばこの図１５のようにノーマリモードがＯＦＦ状態である場合には、走査選択期間にＯＮ状態を書き込んでも、非選択期間にはＯＦＦ状態に戻ってしまう。
【００８９】
上記の比較例１〜４に示したように、本実施の形態とは異なる駆動方法では、画素に一旦書き込んだ状態を少なくとも１フレームに亘って保持することができないので、本発明のような良好な表示性能を実現することができない。また、強いてそのような状態保持を可能とするためには、駆動方法や駆動回路が繁雑化するといった別の問題が生じることとなり、本発明のような簡易な概要構成で良好な表示性能を実現することができない。
【００９０】
【発明の効果】
以上説明したように、請求項１記載の光学多層構造体の駆動方法または請求項２記載の表示装置の駆動方法または請求項３ないし５のうちのいずれかに記載の表示装置によれば、所定の書き込みタイミングごとに電圧を印加して電極間の間隙の状態を制御した後、その２つの電極の電位の極性を逆転させると共に、その２つの電極間の電位差をヒステリシスの１行程における分離状態および接触状態のいずれでも保持可能な範囲の大きさに保つようにしたので、光学多層構造体の有するヒステリシス特性を積極的に利用して、走査選択期間などに電極の間隙の状態の書き込みが行われた後にも、その書き込まれたときの状態を保つことが可能となり、また次回の書き込みの際には、それまで電極が保持していた状態や電極に印加された信号電圧波形の履歴に関わらず、所望の状態の新たな書き込みを行うことが可能となり、その結果、構造の繁雑化を招くＴＦＴや補助容量などのような素子を付加しなくとも、全ての画素で書き込まれた状態を保持して良好な表示特性を実現することができる。
【図面の簡単な説明】
【図１】本実施の形態に係る表示装置の主要部の構成を模式的に表した図である。
【図２】本実施の形態に係る表示装置に用いられる光学多層構造体の主要部の構造を表した図である。
【図３】図２に示した光学多層構造体の可視光領域における光学的特性を表した図である。
【図４】図２に示した光学多層構造体のヒステリシス曲線を表した図である。
【図５】第１行・第１列の１画素の光学多層構造体に印加される走査電圧波形の一例を表した図である。
【図６】第１行・第１列の１画素の光学多層構造体に印加される信号電圧波形の一例を表した図である。
【図７】第１行・第１列の１画素の光学多層構造体に印加されて重畳した走査電圧波形および信号電圧波形の一例を表した図である。
【図８】第１行・第１列の１画素の光学多層構造体の間隙に生じる電位差の変化の一例わ表した図である。
【図９】所定のいきい値以上の電位差が印加されて接触状態となったときの光学多層構造体の様相を表した図である。
【図１０】図２に示した光学多層構造体のヒステリシス曲線を、正および負の両極性に亘って表した図である。
【図１１】本実施の形態に係る駆動方法のバリエーションを表した図である。
【図１２】比較例１として、電位差の極性の逆転を行うことなく、かつ信号電圧または走査電圧にオフセットを設ける場合の走査電圧波形および信号電圧波形を表した図である。
【図１３】比較例２として、両電極間の電位差の極性の逆転を行わず、かつ信号電圧や走査電圧にオフセットを設けない場合の走査電圧波形および信号電圧波形を表した図である。
【図１４】比較例３として、両電極間の電位差の極性の逆転を行わず、かつ信号電圧や走査電圧にオフセットを設けることなく、かつ走査電圧波形の振幅を信号電圧波形の振幅よりも大きくした場合の走査電圧波形および信号電圧波形を表した図である。
【図１５】比較例４として、一般的な液晶表示装置の駆動方法のように１フレーム毎に信号電圧および走査電圧の極性反転を行う場合の走査電圧波形および信号電圧波形を表した図である。
【符号の説明】
１…光学多層構造体、２…下部電極、３…上部電極、４…絶縁性基板、５…光学薄膜、６…走査配線、７…間隙、８…信号配線、２０…駆動回路系、２１…走査回路、２２…信号回路
【図１】
0004449249.tif 000002
【図２】
0004449249.tif 000003
【図３】
0004449249.tif 000004
【図４】
0004449249.tif 000005
【図５】
0004449249.tif 000006
【図６】
0004449249.tif 000007
【図７】
0004449249.tif 000008
【図８】
0004449249.tif 000009
【図９】
0004449249.tif 000010
【図１０】
0004449249.tif 000011
【図１１】
0004449249.tif 000012
【図１２】
0004449249.tif 000013
【図１３】
0004449249.tif 000014
【図１４】
0004449249.tif 000015
【図１５】
0004449249.tif 000016